(57)【要約】【課題】「スーツケース」のその不便さを解消して、未使用時にコンパクトに収納できる用具を提供する。【解決手段】本発明によれば、スーツケースの上カバーと下カバーの連結部をジャバラ構造又はスライド構造にすることで折り畳み時の２倍以上の大きさに伸縮することができる、未使用時にスペースを取らずに収納することのできるスーツケースが提供される。【選択図】図１
2014200610.tif 000002
【特許請求の範囲】
【請求項１】
スーツケースの上カバーと下カバーの連結部をジャバラ構造又はスライド伸縮構造にすることで折り畳み時の容量を２倍以上にすることができる、未使用時にスペースを取らずに収納することのできるスーツケース。
【請求項２】
前記連結部は、ジャバラ構造であり、このジャバラ構造は、平行に山と谷を交互につくるジャバラに加え、その山と谷に対して斜め方向にも山と谷を備え、これによって多方向の折り目が生まれ、表面積が増える緩衝材としての機能を持つ、請求項１に記載のスーツケース。
【請求項３】
前記連結部の強度を向上させる方法として次の手法のうちの少なくとも１つを備える、請求項１又は２に記載のスーツケース。
（１）前記連結部はジャバラ構造であり、ジャバラの折り目にワイヤー等の補強素材を入れる。
（２）上カバーと下カバーを連結する支柱を取り付けられるようにする。
（３）スーツケースの内部に上カバーと下カバーを連結する板状の補助部材を入れ、その両端を上カバーと下カバーに固定する。
（４）スーツケースの周囲を帯状のベルトで引き締めることで、上下カバーによる圧力で中身の荷物を固定させ、ジャバラへの負荷を軽減する。
【請求項４】
上カバー、下カバーに凹凸をつけることにより、カバーの表面積を増やし強度を向上させる、請求項１〜請求項３の何れか１つに記載のスーツケース。
【請求項５】
前記連結部はジャバラ構造であり、上カバーと下カバーの側面をジグザグ状に造形することで連結部のジャバラの造形と一致させ密着度を実現する、請求項１〜請求項４の何れか１つに記載のスーツケース。
【請求項６】
キャスター部を上カバーと下カバーの四隅に配置することにより伸縮部である前記連結部に影響なく、接地に対する強度を上げることができる、請求項１〜請求項５の何れか１つに記載のスーツケース。
【発明の詳細な説明】
【技術分野】
【０００１】
本発明は、スーツケースに関する。
【背景技術】
【０００２】
スーツケースは旅行時に多くの荷物を収納し、持ち運びを容易にする道具である。
【発明の概要】
【発明が解決しようとする課題】
【０００３】
しかし多くの人は旅行などのスーツケースを使う機会は１年のうちの数日程度であり、それ以外の期間スペースを無駄にしている。特に居住スペースの狭い独身者や家族が各々のスーツケースを持っているような家庭の場合その置き場所が課題となっている。
本発明は旅行用の鞄である「スーツケース」のその不便さを解消して、未使用時にコンパクトに収納できる用具を提供するものである。
【課題を解決するための手段】
【０００４】
本発明によれば、スーツケースの上カバーと下カバーの連結部をジャバラ構造又はスライド構造にすることで折り畳み時の２倍以上の大きさに伸縮することができる、未使用時にスペースを取らずに収納することのできるスーツケースが提供される。
【図面の簡単な説明】
【０００５】
【図１】図１（ａ）〜（ｇ）は、本発明の一実施形態のスーツケースを示し、（ａ）は正面図、（ｂ）は背面図、（ｃ）は、ジャバラを伸ばした状態での左側面図（右側面図は対称なので省略）、（ｄ）は、ジャバラを縮めた状態での左側面図（右側面図は対称なので省略）、（ｅ）は、ジャバラを伸ばした状態での底面図、（ｆ）は、ジャバラを縮めた状態での底面図、（ｇ）は、ジャバラを伸ばした状態での平面図、（ｈ）は、ジャバラを縮めた状態での平面図である。
【図２】図２（ａ）〜（ｆ）は、本発明の一実施形態のスーツケースの写真を示し、（ａ）は正面図、（ｂ）は背面図、（ｃ）は、ジャバラを伸ばした状態での左側面図（右側面図は同一なので省略）、（ｄ）は、ジャバラを縮めた状態での右側面図（左側面図は同一なので省略）、（ｅ）は、ジャバラを伸ばした状態での底面図、（ｆ）は、ジャバラを伸ばした状態での平面図である。
【図３】図３（ａ）〜（ｂ）は、スライド構造を説明するための斜視図及び断面図である。
【発明を実施するための形態】
【０００６】
図１〜図２のように、このスーツケースは側面一周がジャバラとなっている。使用時は荷物の容量に合わせ、ジャバラを伸ばして使用する。未使用時にはジャバラ部分を縮めることで無駄なスペースを取らずに収納することができる。ジャバラは上下カバーの内側に収まるようになっており、最小にした場合、その高さは上下カバーの厚みだけとなる。ジャバラを伸ばすと、スーツケースの容量を２倍以上にすることができる。このスーツケースによるメリットは収納時だけではなく、旅行先で土産物等を購入し荷物が増えてしまった時に、必要に応じて容量を増やすことができるメリットも生まれる。ジャバラを伸ばした際の最大容量は、例えば２〜１０倍であり、好ましく３〜７倍であり、具体的には例えば、２、３、４、５、６、７、８、９、１０倍であり、ここで例示した数値の何れか２つの間の範囲内であってもよい。
【０００７】
スーツケースの上カバーと下カバーの連結部をジャバラ構造にすることで折り畳み時の２倍以上の大きさに伸縮することができる、未使用時にスペースを取らずに収納することのできるスーツケース。
【０００８】
ジャバラ構造は、重なり合う複数の板をスライドさせるスライド伸縮構造による伸縮構造によって代替することができる。図３に示すように、スライド伸縮構造は外周の異なる数枚の板を入れ子状に重ねることによって行う。各板の端にストッパー部を設けることにより、板が外れてしまうことを防ぐ機構を加える。
【０００９】
平行に山と谷を交互につくるジャバラに加え、その山と谷に対して斜め方向にも山と谷を加えることにより多方向の折り目が生まれ、表面積が増える緩衝材としての機能を持つ。結果として側面の圧縮に対する強度を増強することができる。そのため、スーツケースの外部の衝撃から内部の荷物を守ることができると同時に内部の荷物の重量を支える強度も生むことができる。
【００１０】
布や化学繊維による柔らかい素材をスーツケースのカバー全体に使用することで折り畳みができるスーツケースは既に実現されているが、柔らかい素材を使用することにより強度が下がる。側面をジャバラ構造にすることにより上カバーと下カバーにハードな素材を使用した状態で、高い伸縮性を実現することができる。さらにジャバラの山と谷の折り目以外の部分はプラスチック素材等、強度のある素材を使用することができるため、ジャバラ自体の強度も高めることができる。
【００１１】
連結部の強度を向上させる方法として次のいずれかの手法を用いることができる。「１．ジャバラの折り目にワイヤー等の補強素材を入れる」、「２．上カバーと下カバーを連結する支柱を取り付けられるようにする」「３．スーツケースの内部に上カバーと下カバーを連結する板状の補助部材を入れ、その両端を上カバーと下カバーに固定する」「４．スーツケースの周囲を帯状のベルトで引き締めることで、上下カバーによる圧力で中身の荷物を固定させ、ジャバラへの負荷を軽減する」
【００１２】
上カバー、下カバーに凹凸をつけることにより、カバーの表面積を増やし強度を向上させる。
【００１３】
上カバーと下カバーの側面をジグザグ状に造形することで連結部のジャバラの造形と一致させ密着度を実現する。また、側面からの荷重に対する強度も向上させる。
【００１４】
キャスター部を上カバーと下カバーの四隅に配置することにより伸縮部であるジャバラに影響なく、接地に対する強度を上げることができる。
【図１】
2014200610.tif 000003
【図２】
2014200610.tif 000004
【図３】
2014200610.tif 000005